(57)【特許請求の範囲】
【請求項１】
内部空間が形成されるとともに、移動ローラー（１０２）が形成された脚（１０１）が設置され、多数の黄土含有ベッドユニット（１１０）が設置され、両側に黄土含有ベッドユニット（１１０）の離脱を防止する離脱防止部（１０７）が形成されたベッドフレーム（１００）と；
黄土含有ベッドユニット（１１０）に設置され、黄土含有ベッドユニット（１１０）を支持する支持板（１１１）と；
支持板（１１１）に設置されるヘッド部（１２１）と、ヘッド部（１２１）の下側に延長形成され、黄土含有ベッドユニット（１１０）の昇降を案内する本体部（１２２）と、その本体部の下側に延長形成され、弾性スプリング（１３３）の上側に定着され、昇降部材（１３０）の内部空間に圧力を加える定着部（１２４）と、から成り、底面から一定の高さを維持した状態で設置された昇降用ユニット（１２０）と；
固定台（１０３）に設置され、内部に弾性スプリング（１３３）が配置され、上側に油空圧が注入及び排出される流入口（１３１）が形成され、昇降用ユニット（１２０）を上下方向に垂直に移動させる昇降部材（１３０）と；
ベッドフレーム（１００）の内部空間に位置し、下側の上下両方に車輪（２００）が設置され、底面が一定の傾斜面を有する水受け部（１９０）と；
ベッドフレーム（１００）に設置され、ベッドフレーム（１００）の角運動を行う角度調節手段（１４０）と；を備える
ことを特徴とする医療用ベッド。
【請求項２】
ベッドフレーム（１００）の内部空間に、水受け部（２００）に形成された車輪（２０１）のスライディングを案内するレール部（１０４）が設置された
請求項１に記載の医療用ベッド。
【請求項３】
ベッドフレーム（１００）に、入浴用カーテン（１０５）が備えられた
請求項１に記載の医療用ベッド。
【請求項４】
ベッドフレーム（１００）に、患者の血液循環を促進するための送風ファン（１０６）が設置された
請求項１に記載の医療用ベッド。
【請求項５】
黄土含有ベッドユニット（１１０）のうちベッドフレーム（１００）の中央部分に位置した黄土含有ベッドユニット（１１０）の中央部分に、支え枠（１１０ｂ）が備えられた開放部（１１０ａ）が形成され、開放部（１１０ａ）に黄土含有ベッド兼用蓋（２２０）が挿入されることによって、開放部（１１０ａ）が閉鎖される
請求項１に記載の医療用ベッド。
【請求項６】
ベッドフレーム（１００）に、下面に車輪（２３１ａ）が備えられた支持部（２３１）と、支持部（２３１）の上面から上側に延長形成され、途中に棚（２３３）が備えられた垂直部（２３２）と、垂直部（２３２）の上端に設置され、冷・温水を調節するための作動レバー（２３４）と、外部から水を受けるための連結ホース（２３６）が垂直部（２３２）の内側に収容されるとともに、作動レバー（２３４）の外側に突出され、連結ホース（２３６）から供給される水を噴射するシャワー器（２３５）と、垂直部（２３２）にボルト及びナットを通して設置され、内部空間に一定水位の洗浄水が収容された貯蔵容器（２３７）と、貯蔵容器（２３７）の洗浄水を噴射する噴射ホース（２３８）と、から成る洗浄水供給部材（２３０）が備えられた
請求項１に記載の医療用ベッド。
【請求項７】
昇降部材（１３０）に、昇降部材（１３０）の内部に油空圧が流入することを制御する電子バルブ（１５０）と、油空圧器に貯蔵された油空圧を昇降部材の内部に流入させるポンプ（１７０）と、電子バルブ（１５０）のオープン／クローズ及びポンプの作動を制御するコントローラ部（１３４）と、一定の周期に合わせてコントローラ部（１３４）に制御信号を送信するタイマー（１３５）とが設置された
請求項１に記載の医療用ベッド。
【請求項８】
黄土含有ベッドユニット（１１０）に、防水カバー（１１２）が被せられた
請求項１に記載の医療用ベッド。
【請求項９】
水受け部（１９０）の一側に、水が排出される排出口（２０１）が形成された
請求項１に記載の医療用ベッド。
【請求項１０】
角度調節手段（１４０）が、ベッドフレーム（１００）に設置され、ピストン棒（１４２）が備えられたシリンダー（１４１）と、一側は第１のヒンジ部（１４４）によってピストン棒（１４２）と結合されるとともに、ピストン棒（１４２）に近接した位置にベアリング（１４８）が設置され、他側は第２のヒンジ部（１４５）によってベッドフレーム（１００）に結合されるリンク部（１４３）と、ベアリング（１４８）が位置し、ベアリング（１４８）がスライディングされる内部空間が形成され、リンク部（１４３）を支持する支持フレーム（１４７）と、ベッドフレーム（１００）の一面に設置され、ベッドフレーム（１００）の角運動を行う第３のヒンジ部（１４６）と、を備えた
請求項１に記載の医療用ベッド。
【請求項１１】
内部空間が形成されるとともに、移動ローラー（１０２）が形成された脚（１０１）が設置され、多数の黄土含有ベッドユニット（１１０）が設置され、両側に黄土含有ベッドユニット（１１０）の離脱を防止する離脱防止部（１０７）が形成されたベッドフレーム（１００）と；
黄土含有ベッドユニット（１１０）に設置され、黄土含有ベッドユニット（１１０）を支持する支持板（１１１）と；
支持板（１１１）に設置されるヘッド部（１２１）と、ヘッド部（１２１）の下側に延長形成され、黄土含有ベッドユニット（１１０）の昇降を案内する本体部（１２２）と、本体部（１２２）の下側に延長形成され、昇降部材（１３０）の内部空間に圧力を加える加圧部（１２３）と、から成り、底面から一定の高さを維持した状態で設置される昇降用ユニット（１２０）と；
固定台（１０３）に設置され、上側と下側に油空圧が注入及び排出される流入口（１３１、１３１'）が形成され、昇降用ユニット（１２０）を上下方向に垂直に移動させる昇降部材（１３０）と；
ベッドフレーム（１００）の内部空間に位置し、下側の上下両方に車輪（２００）が設置され、底面が一定の傾斜面を有する水受け部（１９０）と；
ベッドフレーム（１００）に設置され、ベッドフレーム（１００）の角運動を行う角度調節手段（１４０）と；を備える
ことを特徴とする医療用ベッド。
【請求項１２】
ベッドフレーム（１００）の内部空間に、水受け部（２００）に形成された車輪（２０１）のスライディングを案内するレール部（１０４）が設置された
請求項１１に記載の医療用ベッド。
【請求項１３】
ベッドフレーム（１００）に、入浴用カーテン（１０５）が備えられた
請求項１１に記載の医療用ベッド。
【請求項１４】
ベッドフレーム（１００）に、患者の血液循環を促進するための送風ファン（１０６）が設置された
請求項１１に記載の医療用ベッド。
【請求項１５】
黄土含有ベッドユニット（１１０）のうちベッドフレーム（１００）の中央部分に位置した黄土含有ベッドユニット（１１０）の中央部分に、支え枠（１１０ｂ）が備えられた開放部（１１０ａ）がさらに形成され、開放部（１１０ａ）に黄土含有ベッド兼用蓋（２２０）が挿入されることによって、開放部（１１０ａ）が閉鎖される
請求項１１に記載の医療用ベッド。
【請求項１６】
ベッドフレーム（１００）に、下面に車輪（２３１ａ）が備えられた支持部（２３１）と、支持部（２３１）の上面から上側に延長形成され、途中に棚（２３３）が備えられた垂直部（２３２）と、垂直部（２３２）の上端に設置され、冷・温水を調節するための作動レバー（２３４）と、外部から水を受けるための連結ホース（２３６）が垂直部（２３２）の内側に収容されるとともに、作動レバー（２３４）の外側に突出され、連結ホース（２３６）から供給される水を噴射するシャワー器（２３５）と、垂直部（２３２）にボルト及びナットを通して設置され、その内部空間に一定水位の洗浄水が収容された貯蔵容器（２３７）と、貯蔵容器（２３７）の洗浄水を噴射する噴射ホース（２３８）と、から成る洗浄水供給部材（２３０）が備えられた
請求項１１に記載の医療用ベッド。
【請求項１７】
昇降部材（１３０）に、昇降部材（１３０）の内部に油空圧が流入することを制御する電子バルブ（１５０、１５１）と、油空圧器に貯蔵された油空圧を昇降部材の内部に流入させるポンプ（１７０）と、電子バルブ（１５０）のオープン／クローズ及びポンプの作動を制御するコントローラ部（１３４）と、一定の周期に合わせてコントローラ部（１３４）に制御信号を送信するタイマー（１３５）とが設置された
請求項１１に記載の医療用ベッド。
【請求項１８】
黄土含有ベッドユニット（１１０）に、防水カバー（１１２）が被せられた
請求項１１に記載の医療用ベッド。
【請求項１９】
水受け部（１９０）の一側に、水が排出される排出口（２０１）が形成された
請求項１１に記載の医療用ベッド。
【請求項２０】
角度調節手段（１４０）が、ベッドフレーム（１００）に設置され、ピストン棒（１４２）が備えられたシリンダー（１４１）と、一側は第１のヒンジ部（１４４）によってピストン棒（１４２）と結合されるとともに、ピストン棒（１４２）に近接した位置にベアリング（１４８）が設置され、他側は第２のヒンジ部（１４５）によってベッドフレーム（１００）に結合されるリンク部（１４３）と、ベアリング（１４８）が位置し、ベアリング（１４８）がスライディングされる内部空間が形成され、リンク部（１４３）を支持する支持フレーム（１４７）と、ベッドフレーム（１００）の一面に設置され、ベッドフレーム（１００）の角運動を行う第３のヒンジ部（１４６）と、を備えた
請求項１１に記載の医療用ベッド。
【発明の詳細な説明】
【技術分野】
【０００１】
本発明は、体位を自ら変えられない患者に発生する床擦れを防止するために、患者が横たわっている状態で患者とベッドとが接触する部分に空間を形成することによって患者の身体の後部に血液と空気を疎通させ、周期的に患者の身体の後部に空気が流れるようにし、長期間の間ベッド生活をしてきた患者に発生する床擦れなどの疾患を未然に防止できる医療用ベッドに関するものである。
【背景技術】
【０００２】
一般に、非常に高齢の患者、衰弱した患者、下半身麻痺及び四肢麻痺などの麻痺患者、身体感覚を失った患者などのように体位を自ら変えられない重患者の場合、必ず看病人や保護者の助けを借りて用便処理又は入浴などを行わなければならない。
【０００３】
また、少なくとも２〜３分以内の間隔で体位を変えないと床擦れが発病するおそれがあるので、一定の時間ごとに体位を変更したり、十分な栄養を取りながら皮膚の周囲を清潔にし、皮膚を乾燥状態に維持しなければならない。
【０００４】
そのため、患者の体位を容易に変えることによって床擦れを防止し、患者を身体を容易に洗うことができる患者用入浴ベッドの開発が切実な実情にある。
【０００５】
このような問題を解決するために、従来技術の一つの例として特許文献１がよく知られている。
【０００６】
特許文献１は、ベッドフレームを昇降させることはもちろん、ベッドフレームの上側の上板及びこの上板を支持している上板フレームに対して別途のアクチュエータによって角度調節及び分割回転を行うことによって、ベッドフレームの上下昇降が自由であり、より楽に患者の身体を清潔に洗浄できるとともに、患者の身体を強制に回転させたり、うつ伏せにさせることなく分割回転が可能な上板の作動によって患者の位置及び方向を変更させる。
【０００７】
しかしながら、上述した従来技術によると、入浴用のベッドシーツが濡れるようになり、新しいシーツに取り替えたり、別途の装備を用いて長期間にわたってシーツを乾燥させなければならないという不便さがある。
【０００８】
また、水に濡れたシーツを屋上や日差しのよい場所などで乾かす場合、乾かす場所までシーツを直接運ばなければならないが、水に濡れたシーツは非常に重いため、運ぶ人が体力的に負担を多く感じるようになるとともに、乾燥したシーツを再び運んでこなければならないという煩雑さが伴う。
【０００９】
また、患者の身体を洗うために患者をシャワールームに移動させなければならないが、このとき、患者を移動させる看病人又は保護者は体力的に多くの負担と疲れを感じるようになる。さらに、患者は、強制的な力によって動くようになるので、苦痛を受けたり、不便な姿勢をとらなければならないという問題がある。
【００１０】
また、他の従来技術の一例として、先登録された特許文献２がよく知られている。
【００１１】
特許文献２は、昇降する各マットレスユニットによって患者の身体を左右側に傾かせ、身体に加えられる体圧を分散した状態でエアを噴射し、身体の中央部を持ち上げてから他の身体部位の体圧を分散した状態でエアを噴射する方式である。
【００１２】
しかしながら、特許文献２によると、看病人又は保護者の助けなしにも患者の体位を変えることはできるが、患者は、自分の意思とは関係なくマットレスユニットによって動くようになるので、不便さを感じるようになる。さらに、ベッドと患者との間の空間が広く形成されないので、ベッドと患者との接触面がより多くなり、患者に発生する床擦れを効率的に防止することができない。
【先行技術文献】
【特許文献】
【００１３】
【特許文献１】大韓民国実用新案公報第２０―０４０１８６４号
【特許文献２】大韓民国実用新案公報第２０―０７３２５５９号
【発明の概要】
【発明が解決しようとする課題】
【００１４】
本発明は、前記のような従来技術の問題を解決するためになされたもので、体位を自ら変えられない患者に発生する床擦れを防止するために、患者が横たわっている状態で患者とベッドとが接触する部分に空間を形成することによって患者の身体の後部に血液と空気を疎通させ、周期的に患者の身体の後部に空気が流れるようにし、長期間の間ベッド生活をしてきた患者に発生する床擦れなどの疾患を未然に防止できる医療用ベッドを提供することを目的とする。
【００１５】
本発明の他の目的は、患者の身体を洗うとき、患者が横たわっているベッドユニットが水に濡れることを防止し、患者の身体を洗った後で残存する水を効率的にベッドの外部に排出することによって、患者をシャワールームに移動させずにも、その場で患者の身体を容易に洗うことができる医療用ベッドを提供することにある。
【課題を解決するための手段】
【００１６】
前記のような多数の目的・課題を達成するための本発明の手段は、内部空間が形成されるとともに、移動ローラーが形成された脚が設置され、多数の黄土ベッドユニットが設置され、両側に黄土ベッドユニットの離脱を防止する離脱防止部が形成されたベッドフレームと；前記黄土ベッドユニットに設置され、前記黄土ベッドユニットを支持する支持板と；前記支持板に設置されるヘッド部と、前記ヘッド部の下側に延長形成され、前記黄土ベッドユニットの昇降を案内する本体部と、前記本体部の下側に延長形成され、弾性スプリングの上側に定着され、昇降部材の内部空間に圧力を加える定着部とからなり、底面から一定の高さを維持した状態で設置された昇降用ユニットと；固定台に設置され、内部に弾性スプリングが配置され、上側に油空圧が注入及び排出される流入口が形成され、前記昇降用ユニットを上下方向に垂直に移動させる昇降部材と；前記ベッドフレームの内部空間に位置し、下側の上下両方に車輪が設置され、底面が一定の傾斜面を有する水受け部と；前記ベッドフレームに設置され、前記ベッドフレームの角運動を行う角度調節手段と；を含んで構成されたことを特徴とする。
【００１７】
また、前記のような多数の目的・課題を達成するための本発明の他の手段は、内部空間が形成されるとともに、移動ローラーが形成された脚が設置され、多数の黄土ベッドユニットが設置され、両側に黄土ベッドユニットの離脱を防止する離脱防止部が形成されたベッドフレームと；前記黄土ベッドユニットに設置され、前記黄土ベッドユニットを支持する支持板と；前記支持板に設置されるヘッド部と、前記ヘッド部の下側に延長形成され、前記黄土ベッドユニットの昇降を案内する本体部と、前記本体部の下側に延長形成され、昇降部材の内部空間に圧力を加える加圧部とからなり、底面から一定の高さを維持した状態で設置される昇降用ユニットと；固定台に設置され、上側と下側に油空圧が注入及び排出される流入口が形成され、前記昇降用ユニットを上下方向に垂直に移動させる昇降部材と；前記ベッドフレームの内部空間に位置し、下側の上下両方に車輪が設置された水受け部と；前記ベッドフレームに設置され、前記ベッドフレームの角運動を行う角度調節手段と；を含んで構成されたことを特徴とする。
【発明の効果】
【００１８】
本発明による医療用ベッドは、体位を自ら変えられない患者に発生する床擦れを防止するために、患者を動かさずにも自由自在に昇降が可能なベッドユニットによって患者とベッドとの間に空間を形成することによって患者の身体の後部に血液と空気を円滑に疎通させ、送風機を通して患者の身体の後部に周期的に空気が流れるようにし、長期間の間ベッド生活をしてきた患者に発生する床擦れなどの疾患を未然に防止することができる。
【００１９】
また、患者の身体を洗うとき、患者が横たわっているベッドユニットが水に濡れることを防水布によって防止し、ベッドユニットを新しいものに取り替えたり、長期間にわたって乾燥させなければならない不便さを解消することができ、患者の身体を洗った後で残存する水が排出板によって効率的に排出口に流れるようにし、ベッドに投与された水を外部に排出することによって、患者をシャワールームに移動させずにもベッド内で患者の身体を容易に洗って常に清潔に維持させ、その結果、患者の快癒を著しく早めることができる。
【図面の簡単な説明】
【００２０】
【図１】本発明に係る医療用ベッドの分解斜視図
【図２】本発明に係る医療用ベッドにおける開放部の拡大斜視図
【図３】本発明に係る医療用ベッドに便器が適用された状態を示す図である。
【図４】本発明に係る医療用ベッドにおける角度調節手段の作動過程を示す説明図
【図５】本発明に係る医療用ベッドにおける角度調節手段の作動過程を示す説明図
【図６】本発明に係る医療用ベッドにおいて昇降部材によって昇降用ユニットが作動する実施例を示す説明図
【図７】本発明に係る医療用ベッドにおける洗浄水供給部材を示す説明図
【図８】本発明に係る医療用ベッドの分解斜視図
【図９】本発明に係る医療用ベッドにおける開放部の拡大斜視図
【図１０】本発明に係る医療用ベッドに便器が適用された状態を示す説明図
【図１１】本発明に係る医療用ベッドにおける角度調節手段の作動過程を示す説明図
【図１２】本発明に係る医療用ベッドにおける角度調節手段の作動過程を示す説明図
【図１３】本発明に係る医療用ベッドで昇降部材によって昇降用ユニットが作動する実施例を示す説明図
【図１４】本発明に係る医療用ベッドにおける洗浄水供給部材を示す図
【発明を実施するための形態】
【００２１】
以下、本発明の好適な実施例を添付の図面を参照してより詳細に説明する。
【００２２】
＜実施例１＞
【００２３】
図１は、本発明に係る医療用ベッドの分解斜視図で、図２は、本発明に係る医療用ベッドにおける開放部の拡大図で、図３は、本発明に係る医療用ベッドに便器が適用された状態を示す図で、図４及び図５は、本発明に係る医療用ベッドにおける角度調節手段の作動過程を示す図で、図６は、本発明に係る医療用ベッドにおいて昇降部材によって昇降用ユニットが作動する実施例を示す図で、図７は、本発明に係る医療用ベッドにおける洗浄水供給部材を示す図である。
【００２４】
図１〜７に示すように、本発明に係る医療用ベッドは、ベッドフレーム１００、支持板１１１、昇降用ユニット１２０、昇降部材１３０、水受け部１９０及び角度調節手段１４０を含んで構成される。
【００２５】
前記ベッドフレーム１００に設置された脚１０１には、ベッドフレーム１００の移動を容易にするために移動ローラー１０２がさらに設置される。また、患者の細胞の生理作用を活発にし、人体の内部に熱エネルギーを発生させ、人体内の細胞の有害物質を放出して解毒する光電効果に優れ、かつ患者の健康を最適化できる黄土ベッドユニット１１０は、多数位置して患者の身体を支持する。
【００２６】
また、患者の身体を洗うとき、黄土ベッドユニット１１０が濡れることを防止するために、黄土ベッドユニット１１０には防水カバー１１２が被せられる。
【００２７】
前記ベッドフレーム１００の両側には、昇降用ユニットの作動時に黄土ベッドユニット１１０が上側に過度に上昇することを防止するために離脱防止部１０７がさらに形成される。
【００２８】
そして、前記黄土ベッドユニット１１０のうちベッドの中央部分、すなわち、患者のお尻が位置する黄土ベッドユニット１１０には、中央部分が一定の間隔だけ離隔して開放部１１０ａが形成され、前記開放部１１０ａには支え枠１１０ｂがさらに備えられる。そして、前記支え枠１１０ｂには開放部１１０ａを開閉するための黄土ベッド兼用蓋２２０が挿入され、患者が用便をしようとするとき、前記黄土ベッド兼用蓋２２０を開放部１１０ａから分離することによって、自ら動けない患者をトイレに連れて行かなくても、患者がその場で楽に用便をすることができる。
【００２９】
併せて、ベッドフレーム１００の内部空間には、レール部１０４がベッドフレーム１００の長さ方向に設置される。
【００３０】
そして、下側の上下両方に車輪２００が設置され、一側に水が排出される排出口２０１が形成され、底面がベッドフレーム１００の長さ方向に傾いた水受け部１９０は、前記レール部１０４に位置し、ベッドフレーム１００の内／外側に容易にスライディングされる。その結果、使用者は、前記水受け部１９０を必要に応じて楽に取り出し、水垢及び異物を除去することができる。
【００３１】
また、前記水受け部１９０の底面が一定の角度だけ傾くことによって、患者の身体を洗うときに流入する水、患者の身体を洗った後で残存する汚染物及び排泄物などは、迅速に排出口２０１側に流れ、この排出口２０１を介して効率的にベッドフレーム１００の外部に排出することができる。
【００３２】
これに加えて、前記排出口２０１に排出ホースを設置し、身体を洗った後で残存する汚染物及び排泄物などが下水道に流れるようにすることが望ましい。
【００３３】
そして、服を脱いだ患者の身体を覆うことによって患者のプライバシーを保護するとともに、水が外部に飛散することを防止するために、簡単に設置／解除可能な入浴用カーテン１０５がベッドフレーム１００にさらに備えられる。
【００３４】
また、ベッドフレーム１００に設置された支持バー（図示せず）には、患者の血液循環を促進し、床擦れ防止機能を高めることができる送風ファン１０６がさらに設置される。
【００３５】
また、前記ベッドフレーム１００には、支持部２３１、垂直部２３２、作動レバー２３４、シャワー器２３５、貯蔵容器２３７及び噴射ホース２３８を含んで構成される洗浄水供給部材２３０がさらに設置され、このような洗浄水供給部材２３０は、水が供給される水道施設が設けられた場所と水道施設が設けられていない場所のいずれにおいても患者に容易にシャワーを浴びせるようにする。
【００３６】
まず、水が供給される水道施設が設けられた場所では、支持部２３１、垂直部２３２、作動レバー２３４及びシャワー器２３５が使用される。
【００３７】
前記支持部２３１の下面に車輪２３１ａが設置されることによって、洗浄水供給部材２３０の移動が容易になる。また、前記垂直部２３２は、支持部２３１の上面から上側に延長形成され、途中にはシャワー用品を置くための棚２３３が備えられ、このような支持部２３１は中空の四角棒形態から成る。
【００３８】
また、前記作動レバー２３４は、前記垂直部２３２の上端に形成され、供給された水を冷・温水に調節するために使用される。また、前記シャワー器２３５には連結ホース２３６が備えられ、この連結ホース２３６が蛇口（図示せず）に設置されることによって、前記シャワー器２３５は、前記作動レバー２３４の上下作動によって冷・温水を噴射したり、冷・温水の噴射を中断する。
【００３９】
これと反対に、水が供給される水道施設が設けられていない場所では、貯蔵容器２３７及び噴射ホース２３８が使用される。
【００４０】
前記貯蔵容器２３７は前記垂直部２３２に設置され、その内部空間には一定水位の洗浄水が収容されており、前記噴射ホース２３８は、前記貯蔵容器２３７に設置されて洗浄水を噴射する。
【００４１】
また、前記噴射ホース２３８が前記貯蔵容器２３７の洗浄水を噴射できるように、前記貯蔵容器２３７にはポンプ２３９がさらに備えられ、ポンピング作用を通して貯蔵容器２３７内部の洗浄水が噴射ホース２３８を介して容易に噴射されるようにすることが望ましい。
【００４２】
前記支持板１１１は、黄土ベッドユニット１１０に設置されて黄土ベッドユニット１１０を支持し、黄土ベッドユニット１１０の昇降を案内する。
【００４３】
前記昇降用ユニット１２０は、支持板１１１に設置され、この支持板１１１を支持するヘッド部１２１と、前記ヘッド部１２１の下側に延長形成され、前記黄土ベッドユニット１１０の昇降を案内する本体部１２２と、前記本体部１２２の下側に延長形成され、弾性スプリング１３３の上側に定着される定着部１２４とを含んで構成され、底面から一定の高さを維持した状態でベッドフレーム１００に設置される。
【００４４】
前記昇降部材１３０は、患者が横たわっている状態を維持しながら患者の身体の後部と黄土ベッドユニット１１０との間に空間を形成することによって、患者の身体の後部に血液と空気を疎通させ、周期的に患者の身体の後部に空気が流れるようにし、長期間の間ベッド生活をしてきた患者に発生する床擦れなどの疾患を未然に防止するために提供されるものである。また、前記昇降部材１３０は、ベッドフレーム１００の内部空間に形成された固定台１０３にねじ及びボルトによって結合され、昇降部材１３０の内部空間には昇降用ユニット１２０の一部が挿入されるようにするための挿入ホール１３２が形成され、その内部に配置された弾性スプリング１３３が前記定着部１２４を支持し、上側には油空圧が注入又は排出される流入口１３１が形成され、前記昇降用ユニット１２０を上下方向に垂直に移動させる。
【００４５】
前記弾性スプリング１３３は、普段は昇降用ユニット１２０を支えているが、流入口１３１を介して昇降部材１３０の内部に油空圧が注入されると、昇降用ユニット１２０の下降とともに圧縮されながら復元力を有するようになり、昇降部材１３０の外部に油空圧が排出されると、復元力によって昇降用ユニット１２０を元の位置に復元させる。
【００４６】
また、前記昇降部材１３０には、電子バルブ１５０、ポンプ１７０、コントローラ部１３４及びタイマー１３５がさらに設置される。
【００４７】
前記電子バルブ１５０は、コントローラ部１３４によってオープン／クローズされなながら昇降部材１３０の内部に油空圧が流入することを制御し、前記ポンプ１７０は、油空圧器に貯蔵された油空圧を前記昇降部材１３０の内部に流入させる。
【００４８】
また、前記タイマー１３５は、使用者が予め定めておいた入力時間に合わせて多数の昇降部材１３０に油空圧を交互に流入させ、昇降用ユニット１２０を交互に昇降させるために提供されるもので、使用者が定めておいた時間に合わせて制御信号をコントローラ部１３４に送信する。そして、前記コントローラ部１３４は、タイマー１３５から制御信号を受け、多数設置された電子バルブ１５０のオープン／クローズ及びポンプ１７０の作動を制御し、ベッドフレーム１００に設置された多数の昇降部材１３０の内部に油空圧を交互に流入させる。
【００４９】
前記昇降用ユニット１２０の駆動方式は、図３に示すように、ポンプ１７０を作動させ、油空圧器１８０に貯蔵された油空圧を昇降部材１３０の上側に形成された流入口１３１を介して昇降部材１３０の内部に流入させると、この油空圧によって昇降用ユニット１２０の加圧部１２３が弾性スプリング１３３を圧縮しながら下降すると同時に、結合された黄土ベッドユニット１１０と支持板１１１がヘッド部１２１と共に下降するようになる。
【００５０】
そして、前記昇降用ユニット１２０の上昇は、昇降部材１３０の上側に形成された流入口１３１を塞いでいる電子バルブ１５０を開放し、昇降部材１３０の外部に油空圧を排出した後、電子バルブをクローズすると、昇降部材１３０の内部空間には圧力が消えるようになり、昇降用ユニット１２０の下降とともに圧縮されながら復元力を有するようになった弾性スプリング１３３は、この復元力によって昇降用ユニット１２０を元の位置に復元させる。
【００５１】
前記角度調節手段１４０は、図４に示すように、ベッドフレーム１００に設置され、ピストン棒１４２が備えられたシリンダー１４１と、一側は第１のヒンジ部１４４によって前記ピストン棒１４２と結合され、このピストン棒１４２に近接した位置にベアリング１４８が設置され、他側は第２のヒンジ部１４５によってベッドフレーム１００に結合されるリンク部１４３と、前記ベアリング１４８が位置し、このベアリング１４８がスライディングされる内部空間が形成され、リンク部１４３を支持する支持フレーム１４７と、前記ベッドフレーム１００の一面に設置され、ベッドフレーム１００の角運動を行う第３のヒンジ部１４６とを含んで構成される。
【００５２】
前記角度調節手段１４０の作動は、図５に示すように、シリンダー１４１に油空圧が注入されると、ピストン棒１４２が水平方向に前進するようになり、第１のヒンジ部１４４によってピストン棒１４２と結合されたリンク部１４３が垂直方向に上昇しながら、ベッドフレーム１００を垂直方向に移動させ、ベッドフレーム１００が一定の角度を有するようにし、患者の上体を上側に移動させることができる。ここで、ベッドフレーム１００は、第３のヒンジ部１４６によって角運動を行うことができる。
【００５３】
そして、シリンダー１４１の内部の油空圧を外部に排出すると、ピストン棒１４２が元の位置に復帰することによって、ピストン棒１４２に結合されたリンク部１４３も元の位置に復帰するようになり、ベッドフレーム１００が再び一定の水平状態を維持するようになる。
【００５４】
図中、未説明符号１６０は、油空圧が流れる通路管である。
【００５５】
＜実施例２＞
【００５６】
図８は、本発明に係る医療用ベッドの分解斜視図で、図９は、本発明に係る医療用ベッドにおける開放部の拡大図で、図１０は、本発明に係る医療用ベッドに便器が適用された状態を示す図で、図１１及び図１２は、本発明に係る医療用ベッドにおける角度調節手段の作動過程を示す図で、図１３は、本発明に係る医療用ベッドにおいて昇降部材によって昇降用ユニットが作動する実施例を示す図で、図１４は、本発明に係る医療用ベッドにおける洗浄水供給部材を示す図である。
【００５７】
図８〜１４に示すように、本発明に係る医療用ベッドは、ベッドフレーム１００、支持板１１１、昇降用ユニット１２０、昇降部材１３０、水受け部１９０及び角度調節手段１４０を含んで構成される。
【００５８】
前記ベッドフレーム１００に設置された脚１０１には、ベッドフレーム１００の移動を容易にするために移動ローラー１０２がさらに設置される。また、患者の細胞の生理作用を活発にし、人体の内部に熱エネルギーを発生させ、人体内の細胞の有害物質を放出して解毒する光電効果に優れ、かつ患者の健康を最適化できる黄土ベッドユニット１１０は、多数位置して患者の身体を支持する。
【００５９】
また、患者の身体を洗うとき、黄土ベッドユニット１１０が濡れることを防止するために、黄土ベッドユニット１１０に防水カバー１１２が被せられる。
【００６０】
前記ベッドフレーム１００の両側には、昇降用ユニット１２０の作動時に黄土ベッドユニット１１０が上側に過度に上昇することを防止するために離脱防止部１０７がさらに形成される。
【００６１】
そして、前記黄土ベッドユニット１１０のうちベッドの中央部分、すなわち、患者のお尻が位置する黄土ベッドユニット１１０には、中央部分が一定間隔だけ離隔して開放部１１０ａが形成され、前記開放部１１０ａには支え枠１１０ｂがさらに備えられる。そして、前記支え枠１１０ｂには、開放部１１０ａを開閉するための黄土ベッド兼用蓋２２０が挿入され、患者が用便をしようとする場合、前記黄土ベッド兼用蓋２２０を開放部１１０ａから分離することによって、自ら動けない患者をトイレに連れて行かずにも、患者がその場で楽に用便をすることができる。
【００６２】
併せて、ベッドフレーム１００の内部空間には、レール部１０４がベッドフレーム１００の長さ方向に設置される。
【００６３】
そして、下側の上下両方に車輪２００が設置され、一側に水が排出される排出口２０１が形成され、底面がベッドフレーム１００の長さ方向に傾いた水受け部１９０は、前記レール部１０４に位置し、ベッドフレーム１００の内／外側に容易にスライディングされる。その結果、使用者は、前記水受け部１９０を必要に応じて楽に取り出し、水垢及び異物を除去することができる。
【００６４】
また、前記水受け部１９０の底面が一定の角度だけ傾くことによって、患者の身体を洗うときに流入する水、患者の身体を洗った後で残存する汚染物及び排泄物などは、迅速に排出口２０１側に流れ、この排出口２０１を介して効率的にベッドフレーム１００の外部に排出することができる。
【００６５】
これに加えて、前記排出口２０１に排出ホースを設置し、身体を洗った後で残存する汚染物及び排泄物などが下水道に流れるようにすることが望ましい。
【００６６】
そして、服を脱いだ患者の身体を覆うことによって患者のプライバシーを保護するとともに、水が外部に飛散することを防止するために、簡単に設置／解除可能な入浴用カーテン１０５がベッドフレーム１００にさらに備えられる。
【００６７】
また、ベッドフレーム１００に設置された支持バー（図示せず）には、患者の血液循環を促進し、床擦れ防止機能を高めることができる送風ファン１０６がさらに設置される。
【００６８】
また、前記ベッドフレーム１００には、支持部２３１、垂直部２３２、作動レバー２３４、シャワー器２３５、貯蔵容器２３７及び噴射ホース２３８を含んで構成される洗浄水供給部材２３０がさらに設置され、このような洗浄水供給部材２３０は、水が供給される水道施設が設けられた場所と水道施設が設けられていない場所のいずれにおいても患者に容易にシャワーを浴びせるようにする。
【００６９】
まず、水が供給される水道施設が設けられた場所では、支持部２３１、垂直部２３２、作動レバー２３４及びシャワー器２３５が使用される。
【００７０】
前記支持部２３１の下面に車輪２３１ａが設置されることによって、洗浄水供給部材２３０の移動が容易になる。また、前記垂直部２３２は、支持部２３１の上面から上側に延長形成され、途中にはシャワー用品を置くための棚２３３が備えられ、このような支持部２３１は中空の四角棒形態から成る。
【００７１】
また、前記作動レバー２３４は、前記垂直部２３２の上端に形成され、供給された水を冷・温水に調節するために使用される。また、前記シャワー器２３５には連結ホース２３８が備えられ、この連結ホース２３６が蛇口（図示せず）に設置されることによって、前記シャワー器２３５は、前記作動レバー２３４の上下作動によって冷・温水を噴射したり、冷温水の噴射を中断する。
【００７２】
これと反対に、水が供給される水道施設が設けられていない場所では、貯蔵容器２３７及び噴射ホース２３８が使用される。
【００７３】
前記貯蔵容器２３７は、連結部材を通して前記垂直部２３２に設置され、その内部空間には一定水位の洗浄水が収容されており、前記噴射ホース２３８は、前記貯蔵容器２３７に設置されて洗浄水を噴射する。
【００７４】
また、前記噴射ホース２３８が前記貯蔵容器２３７の洗浄水を噴射できるように、前記貯蔵容器２３７にはポンプ２３９がさらに備えられ、ポンピング作用を通して貯蔵容器２３７内部の洗浄水が噴射ホース２３８を介して容易に噴射されるようにすることが望ましい。
【００７５】
前記支持板１１１は、黄土ベッドユニット１１０に設置されて黄土ベッドユニット１１０を支持し、黄土ベッドユニット１１０の昇降を案内する。
【００７６】
前記昇降用ユニット１２０は、支持板１１１に設置され、この支持板１１１を支持するヘッド部１２１と、前記ヘッド部１２１の下側に延長形成され、前記黄土ベッドユニット１１０の昇降を案内する本体部１２２と、前記本体部１２２の下側に延長形成され、昇降部材１３０の内部空間に圧力を加える加圧部１２３とを含んで構成され、底面から一定の高さを維持した状態でベッドフレーム１００に設置される。
【００７７】
前記昇降部材１３０は、患者が横たわっている状態を維持しながら患者の身体の後部と黄土ベッドユニット１１０との間に空間を形成することによって、患者の身体の後部に血液と空気を疎通させ、周期的に患者の身体の後部に空気が流れるようにし、長期間の間ベッド生活をしてきた患者に発生する床擦れなどの疾患を未然に防止するために提供されるものである。また、前記昇降部材１３０は、ベッドフレーム１００の内部空間に形成された固定台１０３にねじ及びボルトによって結合され、昇降部材１３０の内部空間には昇降用ユニット１２０の一部が挿入されるようにするための挿入ホール１３２が形成され、上側と下側に油空圧が注入又は排出される流入口１３１が形成され、前記昇降用ユニット１２０を上下方向に垂直に移動させる。
【００７８】
また、前記昇降部材１３０には、電子バルブ１５０、１５１、ポンプ１７０、コントローラ部１３４及びタイマー１３５がさらに設置される。
【００７９】
前記電子バルブ１５０、１５１は、コントローラ部１３４によってオープン／クローズされながら昇降部材１３０の内部に油空圧が流入することを制御し、前記ポンプ１７０は、流空気圧器１８０に貯蔵された油空圧を前記昇降部材１３０の内部に流入させる。
【００８０】
また、前記タイマー１３５は、使用者が予め定めておいた入力時間に合わせて多数の昇降部材１３０に油空圧を交互に流入させ、昇降用ユニット１２０を交互に昇降させるために提供されるもので、使用者が定めおいた時間に合わせて制御信号をコントローラ部１３４に送信する。また、前記コントローラ部１３４は、タイマー１３５から制御信号を受け、多数設置された電子バルブ１５０、１５１のオープン／クローズ及びポンプ１７０の作動を制御し、ベッドフレーム１００に設置された多数の昇降部材１３０の内部に油空圧を交互に流入させる。
【００８１】
前記昇降用ユニット１２０の駆動方式は、図７に示すように、昇降部材１３０の下側に形成された流入口１３１’を介して昇降部材１３０の内部に油空圧が流入しないように電子バルブ１５１’を閉鎖し、流入管１６０を介して昇降部材１３０の内部空間に油空圧が流入するように電子バルブ１５１を開放した後、ポンプ１７０を作動させ、油空圧器１８０に貯蔵された油空圧を昇降部材１３０の内部空間に流入させると、この油空圧によって昇降用ユニット１２０が下降するとともに、結合されている黄土ベッドユニット１１０と支持板１１１がヘッド部１２１と共に下降するようになる。
【００８２】
そして、前記昇降用ユニット１２０の上昇は、昇降部材１３０の上側に形成された流入口１３１を塞いでいる電子バルブ１５１を開放し、昇降部材１３０の外部に油空圧を排出する。その後、昇降部材１３０の上側に形成された流入口１３１を介して昇降部材１３０の内部に油空圧が流入しないように、電子バルブ１５１を閉鎖する。
【００８３】
そして、流入管１６０を介して昇降部材１３０の内部空間に油空圧が流入するように電子バルブ１５１’を開放し、ポンプ１７０を作動させ、昇降部材１３０の内部空間に油空圧を流入させると、この油空圧によって昇降用ユニット１２０が上昇するとともに、結合されている黄土ベッドユニット１１０と支持板１１１がヘッド部１２１と共に上昇しながら元の位置に復元される。
【００８４】
前記角度調節手段の構成と作動は、実施例１に説明した通りであるので、それについての具体的な説明は省略する。
【図１】
0005167414.tif 000002
【図２】
0005167414.tif 000003
【図３】
0005167414.tif 000004
【図４】
0005167414.tif 000005
【図５】
0005167414.tif 000006
【図６】
0005167414.tif 000007
【図７】
0005167414.tif 000008
【図８】
0005167414.tif 000009
【図９】
0005167414.tif 000010
【図１０】
0005167414.tif 000011
【図１１】
0005167414.tif 000012
【図１２】
0005167414.tif 000013
【図１３】
0005167414.tif 000014
【図１４】
0005167414.tif 000015